(57)【要約】【課題】  デバイス側のファイル管理フォーマットの破壊を抑止し、ユーザがデバイスのファイル管理フォーマットを理解せずにファイルを追加格納しても、デバイス側で再生可能なファイルであれば再生可能とし、再生できないもので記録メディアの残容量を圧迫していればそれをユーザに通知するファイル管理システムを提供する。【解決手段】ランダムアクセスメディア可能な記録メディアを装着する手段と、少なくとも１つ以上のファイル管理フォーマットを用いて前記記録メディア内にファイルの追加記録やファイルの再生を行う手段と、パソコンに接続して前記記録メディア内にファイルを転送する手段と、パソコンから前記記録メディアへ前記ファイル管理フォーマットのディレクトリへの書き込みを抑止する手段とを具備し、ファイル管理フォーマットのディレクトリ外に格納されているファイルに関する情報を取得することで、上記課題を解決する。【選択図】  図１
2005174038.tif 000002
【特許請求の範囲】
【請求項１】
ランダムアクセスメディア可能な記録メディアを装着する手段と、少なくとも１つ以上のファイル管理フォーマットを用いて前記記録メディア内にファイルの追加記録やファイルの再生を行う手段と、パソコンに接続して前記記録メディア内にファイルを転送する手段と、パソコンから前記記録メディアへ前記ファイル管理フォーマットのディレクトリへの書き込みを抑止する手段とを具備し、ファイル管理フォーマットのディレクトリ外に格納されているファイルに関する情報を取得することを特徴とする装置。
【請求項２】
ランダムアクセスメディア可能な記録メディアを装着する手段と、少なくとも１つ以上のファイル管理フォーマットを用いて前記記録メディア内にファイルの記録やファイルの再生を行う手段と、パソコンに接続可能して前記記録メディア内にファイルを転送する手段を具備し、パソコンから前記記録メディアのファイル管理フォーマットのディレクトリ配下への書き込みを抑止する手段を具備し、ファイル管理フォーマット外の領域に自身で再生可能なファイルが前記記録メディア内に格納されていれば、ファイル管理フォーマットのディレクトリ配下へ前記ファイルをコピーすることを特徴とする装置。
【請求項３】
ランダムアクセスメディア可能な記録メディアを装着する手段と、少なくとも１つ以上のファイル管理フォーマットを用いて前記記録メディア内にファイルの記録・ファイルの再生を行う手段と、パソコンに接続可能して前記記録メディア内にファイルを転送する手段を具備し、パソコンから前記記録メディアのファイル管理フォーマットのディレクトリ配下への書き込みを抑止する手段を具備し、ファイル管理フォーマット外の領域に自身で再生可能なファイルが前記記録メディア内に格納されていれば、ファイル管理フォーマットのディレクトリ配下へ前記ファイルからリンクを貼ることを特徴とする装置。
【請求項４】
請求項１記載の装置であって、パソコンからの書き込み用の領域を用意し、前記領域に自身で再生可能なファイルが格納された場合、そのファイルから前記ファイル管理フォーマットのディレクトリ配下へファイルをコピーすることを特徴とする装置。
【請求項５】
請求項１記載の装置であって、パソコンからの書き込み用の領域を用意し、前記領域に自身で再生可能なファイルが格納された場合、そのファイルから前記ファイル管理フォーマットのディレクト配下へリンクを貼ることを特徴とする装置。
【請求項６】
請求項１〜５いずれか記載の装置であって、ファイル管理フォーマットのうち少なくとも１つがＤＣＦであることを特徴とする装置。
【請求項７】
請求項１〜５いずれか記載の装置であって、ファイル管理フォーマットのうち少なくとも１つがＳＤＶＩＤＥＯであることを特徴とする装置。
【請求項８】
請求項１〜７いずれか記載の装置であって、パソコンとの接続手段がＵＳＢマスストレージクラスであることを特徴とする装置。
【発明の詳細な説明】
【技術分野】
【０００１】
本発明は、１ないし複数のファイル管理フォーマットを用いてファイルの記録・再生する手段と、ランダムアクセス可能な記録メディアを装着する手段と、パソコンに接続可能な手段を具備した装置（デバイス）に関する。
【背景技術】
【０００２】
従来、１ないし複数のファイル管理フォーマットで記録メディアに対して記録への記録、再生を行い、又、パソコンと接続して記録メディア内のファイルを転送できるものとして、デジタルスチルカメラ、あるいは、デジタルビデオカメラ等の撮像デバイスがある。
【０００３】
現在、一般的に出回っているデジタルスチルカメラ、あるいは、デジタルビデオカメラ等の撮像デバイスは、静止画を撮影、記録する際、静止画情報の圧縮国際規格であるJPEG(Joint Photographic Expert Group)方式に準拠して静止画を圧縮し、メモリカードやハードディクス、DVD(Digital Vertsatile Disk)−RAMと言ったランダムアクセス可能でリムーバルな記録メディアに記録する。また、動画についても同じく国際規格であるMJPEG(Motion-JPEG)やMPEG(Moving Picture Expert Group)に準拠して動画像を圧縮しリムーバルな記録メディアに記録する。
【０００４】
デジタルスチルカメラ、あるいは、デジタルビデオカメラ等の撮像デバイスは、装着している前記メディアに記録する際、異なるデジタルスチルカメラ、あるいは、デジタルビデオカメラ等のデバイス間でも再生可能にするため、一般的に同一のファイル管理フォーマットを用いる。JPEGやMJPEG等においては用いるファイル管理フォーマットは、一般的にDCFであり、MPEGにおいてはSDVIDEOである。
【０００５】
ファイル管理フォーマットとしてDCFを用いると、デバイスは撮像画像を記録し始める際、最初に管理フォーマットであるDCF専用のディレクトリとして”DCIM”と言うディレクトリを作成し、その配下に画像を１００枚単位で格納するためのディレクトリを作成する。撮像画像を記録する際は、その１００枚単位で格納するディレクトリに順次格納していき、そのディレクトリに格納する撮影画像が１００枚になると、次の格納用ディレクトリを作り、同様に記録していく。画像を１００枚単位で管理するディレクトリのディレクトリ名は管理用の番号にベンダー固有のキャラクタを付加した一様の形式であり、その配下に格納される実際の撮像画像ファイル名も同様に管理番号にベンダー固有のキャラクタを付加した形式とする。
【０００６】
従って、撮像デバイスは、DCFフォーマット配下においてはディレクトリ名及びファイル名の管理番号を基本とする。
【０００７】
同様にファイル管理フォーマットとしてSDVIDEOを用いる場合も、最初に管理フォーマットであるSDVIDEO専用のディレクトリである”SD_Video”を作成し、同様に管理番号によるディレクトリ名とファイル名を与え、同種の階層構造を形成し、同様にディレクトリ名及びファイル名に基づく管理番号で管理を行う。
【０００８】
このようなデジタルスチルカメラ、あるいは、デジタルビデオカメラ等の撮像デバイスをパソコンに接続して、前記リムーバルメディアに保存された撮像画像ファイルの読み出しを行ったり、逆に、効果的な画像を撮影するためのエフェクト効果に用いる画像ファイルをデジタルスチルカメラ、あるいは、デジタルビデオカメラ等の撮像デバイスの記録メディアに対し書き込みが行われている。
【０００９】
撮像デバイスとパソコンとの接続手段として一般的に用いられているものの一つにＵＳＢ(Universal Serial Bus)がある（非特許文献１、２参照）。
【００１０】
ＵＳＢの接続形態として、撮像デバイスを製造販売する各ベンダーが独自に定めたベンダー独自クラスを用いる場合があるが、これには接続するパソコンに対し、撮像デバイスのベンダー固有クラスに対応するＵＳＢドライバ及び、専用のアプリケーションをインストールするという煩雑な作業が必要となる。
【００１１】
このような煩雑さを回避するため、ＵＳＢの国際的標準クラスであるマスストレージクラスで接続し、パソコンのオペレーティングシステムが標準的に持つドライバと、エクスプローラなどの標準的なアプリケーションが利用可能で、前記記録メディアを読み書き自由なリムーバルストレージに見せる手法も広く用いられている。
【非特許文献１】Universal Serial Bus Specification Revision 1.1, September 23, 1998
【非特許文献２】Universal Serial Bus Specification Revision 2.0, April 27, 2000
【発明の開示】
【発明が解決しようとする課題】
【００１２】
しかしながら、前記のようにデバイスをＵＳＢマスストレージクラス等の国際標準クラスでパソコンへ接続した場合、デバイスが装着している記録メディアは、パソコンが装備しているＨＤＤ等と同様な、自由な読み書き可能なリムーバルディスクとして認識される。
【００１３】
従って、デバイスをパソコンに接続しているユーザは、パソコンを通じでデバイスに装備されている記録メディアに格納されている撮像画像ファイルを自由に読み出すことができると同時に、自由に書き込みも可能である。ここで言う書き込みとは、記録メディア内のディレクトリ名の変更、ファイル名の変更、記録メディア内へのディレクトリの追加、ファイルの追加等を指す。
【００１４】
一方で、このような撮像デバイスは、DCFやSDVIDEOと言ったファイル管理フォーマットで管理されているため、ＵＳＢ接続しているパソコンから、管理フォーマットを示すディレクトリ名、”ＤＣＩＭ”や”ＳＤ＿Ｖｉｄｅｏ”を別の名前に変更されると、その管理フォーマットのディレクトリであることが認識できなくなってしまい、撮像デバイス側での再生が行えなくなる危険性が高い。また、その配下のディレクトリ名やファイル名を変更されると、管理番号が失われる為、同様に撮像デバイス側での再生ができなくなる危険性が高い。
【００１５】
またファイル及びディレクトリの追加においても、同様である。現在のデジタルスチルカメラ、あるいは、デジタルビデオカメラ等の撮像デバイスでは、より効果的な画像を撮影するため、記録メディア内の画像をミックスして撮影する機能(以下「エフェクト機能」と記述)を有するものが多いが、エフェクト機能用の画像ファイルをパソコンから記録メディア内に追加格納する場合、ユーザはファイル管理フォーマットに適する形式で追加格納しなければならない。追加書き込みする記録メディア内のディレクトリ位置や、格納ファイル名がファイル管理フォーマットに適していない書き込みを行った場合、撮像デバイス側のファイル管理フォーマットではそのファイルを認識できないため再生ができず、エフェクト機能には使用することができない。また、ファイルシステム内に既存する管理番号と同じ数値をバッティングした数値を内包したファイル名で格納すると、撮像デバイス側が正常に再生できなくなる危険性がある。
【００１６】
また、上記のようなデバイス側で再生できないファイルが大量に記録メディア内に書き込まれた場合、それが原因で記録メディアの空き容量を圧迫する。パソコンのような処理能力の高い機器では、多数のファイル管理フォーマットに対応させることが可能であるため、ユーザは残容量圧迫の原因を容易に掴むことができるが、デジタルスチルカメラ、あるいは、デジタルビデオカメラ等のようなデバイスは、コスト等の問題もありパソコンに比べ、より限定されたファイル管理フォーマットのものしか対応できないため、自身の対応するファイル管理フォーマット以外のもの認知あるいは再生することができず、ユーザは明確な理由もわからぬまま残容量の圧迫された状態で記録メディアを使用することになる。
【００１７】
本発明は上記問題に鑑みて成されたものであり、デバイス側のファイル管理フォーマットの破壊を抑止し、ユーザがデバイスのファイル管理フォーマットを理解せずにファイルを追加格納しても、デバイス側で再生可能なファイルであれば再生可能とし、再生できないもので記録メディアの残容量を圧迫していればそれをユーザに通知するファイル管理システムを提供することを目的とする。
【課題を解決するための手段】
【００１８】
上記課題を解決するため、本発明における装置は、パソコンからリムーバル記録メディアへのファイルの追加格納に際し、自身の対応するファイル管理フォーマットのディレクトリ配下への追加格納を抑止する手段を具備し、ファイル管理フォーマット配下ディレクトリを破壊の可能性を排除しつつ、ファイル管理フォーマットディレクトリ外への追加格納のみを許可することで、安全なファイルの追加格納を可能とする。
【００１９】
また、ファイル管理フォーマットディレクトリ外に格納されているファイルを試験的にファイル管理フォーマットに組み込んで、自身で再生可能なファイルであるかの確認を行う手段と、再生可能であった場合はファイル管理フォーマット配下のディレクトリへ、ファイル管理フォーマットに合致した形式でファイルをコピー、あるいは、ショートカット(リンク)を貼る手段を具備し、デバイス側のファイル管理フォーマットディレクトリ外のファイルを、デバイスのファイルシステムがファイル管理フォーマットに組み入れることで再生可能とする。
【００２０】
また、再生できなかったファイルのファイルサイズをカウントする手段と、それをユーザに通知する手段を具備し、自身で再生不可能なファイルによる記録メディアの圧迫をユーザに通知する。
【発明の効果】
【００２１】
本発明によれば、１ないし複数のファイル管理フォーマットを用いてファイルの記録・再生する手段と、ランダムアクセス可能な記録メディアを装着する手段と、パソコンに接続可能な手段を具備したデジタルスチルカメラ、あるいはデジタルビデオカメラといった装置（デバイス）をパソコンに接続した際、ファイル管理フォーマット配下ディレクトリの破壊を抑止すると共に、ユーザにデバイスのファイル管理フォーマットを意識させることなく安全なファイル追加格納を可能とし、デバイスで再生不可能なファイルによる記録メディアの容量圧迫をユーザに通知することが可能となる。
【発明の最良の実施形態】
【００２２】
以下に本発明の実施例について説明する。
【実施例１】
【００２３】
以下に、本発明の第１の実施例を図１〜図４に基づき説明する。
【００２４】
図１は装置（デバイス）により記録メディア内に構成されるファイルシステムの構成図である。１０１はファイルシステム、１０２はルートディレクトリ、１０３はＪＰＥＧ用のファイル管理フォーマットであるＤＣＦ用ディレクトリ、１０４はＭＰＥＧ用のファイル管理フォーマットであるＳＤＶＩＤＥＯ用ディレクトリを示す。なお、以下の説明では、本発明による記録メディアはＳＤカードからなるものとし、動画像と静止画像を記録再生可能であるが、記憶容量的に動画像および静止画像が記録可能であればＳＤカードに限るものではない。また、パソコンとの接続手段はＵＳＢストレージクラスからなるものとするが、パソコン側のファイル管理システムを利用して本発明によるデバイスの記録メディアにアクセスし、ファイルの読み込み、書き込みを行うことが可能であれば、ＵＳＢストレージクラスに限るものではない。また、本デバイスのファイル管理フォーマットとして、静止画像についてはＤＣＦを、動画像についてはＳＤＶＩＤＥＯを有するが、静止画像、動画像を管理できるファイル管理フォーマットであれば、ＤＣＦ、ＳＤＶＩＤＥＯ に限るものではない。
【００２５】
この実施例１のデバイスはデジタルビデオカメラで、ＳＤカードに記録された静止画像や動画像をこのデジタルビデオカメラ、あるいはＵＳＢを利用してパソコンへ転送し再生できるようにする。この為、本デジタルビデオカメラはパソコンで静止画像はパソコンで標準的に伸長処理が可能なＪＰＥＧ規格を、動画像については同様にＭＰＥＧ規格が採用する。従って、本デジタルビデオカメラにおいては、静止画像をＪＰＥＧ規格に準拠して圧縮して記録し、同様に動画像をＭＰＥＧ規格に準拠して圧縮して記録する。また、ＳＤカード内の静止画像はＪＰＥＧ規格に準拠した伸長処理が、動画像はＭＰＥＧ規格に準拠した伸長処理を行い、再生が可能となる。
【００２６】
そこで、本発明によるデジタルビデオカメラには、静止画像をＤＣＦ、動画像をＳＤＶＩＤＥＯにより図１に示すような管理構造１０１が構築される。すなわち、この管理構造１０１は最上位のディレクトリとしてルートディレクトリ１０１を設け、ここに静止画像であるＪＰＥＧ規格のファイルを格納・管理する為のＤＣＦフォーマット管理ディレクトリＤＣＩＭ１０３と、動画像であるＭＰＥＧ規格ファイルを格納・管理する為のＳＤＶＩＤＥＯフォーマット管理ディレクトリＳＤ＿Ｖｉｄｅｏ１０４が設けられる。
【００２７】
静止画像であるＪＰＥＧを管理するＤＣＩＭ１０３の下位には、ＪＰＥＧファイルをある単位で管理する管理ディレクトリが設けられる。管理ディレクトリの名前の付け方は、３桁の数字に各デジタルビデオカメラ固有の文字列を付加したものであり、本実施例では１００から始まる３桁の数字に「ＩＭＧ」を付加したものがそれに当たる。
【００２８】
各管理ディレクトリはその配下に１００枚のＪＰＥＧ規格のファイルを格納する。格納するファイル名は管理ディレクトリと関連のある数字に、各デジタルビデオカメラ固有の文字列を付加したもので、本実施例では、管理ディレクトリに使われる数字から１００を引いたものに１００を掛けた値に、１〜１００を足した４桁の数字を順に用い、固有の文字列には「ＩＭＧ＿」を用いる。すなわち管理ディレクトリ名が１００ＩＭＧであれば配下のＪＰＥＧファイルのファイル名は「ＩＭＧ＿０００１．ｊｐｇ」〜「ＩＭＧ＿０１００．ｊｐｇ」 となり、管理ディレクトリが１０５ＩＭＧであれば、「ＩＭＧ＿０５０１．ｊｐｇ」〜「ＩＭＧ＿０６００．ｊｐｇ」 となる。
【００２９】
静止画像を追加撮影する場合、ＪＰＥＧファイルは管理ディレクトリ中もっとも数字が大きいディレクトリの下位に、もっとも数字が大きいファイル名に１加えたファイル名として新規追加されるが、その管理ファイルが１００枚の画像を格納済であった場合、管理ディレクトリの数字に１加えた番号を持つ管理ディレクトリを新たに設け、その配下に同様の手法を用いて決定したファイル名で追加記録する。
【００３０】
本実施例によるデジタルビデオカメラの静止画管理フォーマットであるＤＣＦは、静止画像の管理をＤＣＩＭ配下の管理ディレクトリの番号および、ファイル名の番号を用いて管理しており、本実施例におけるデジタルビデオカメラで静止画像を再生する場合、この番号を用いてファイルを認識する。従って、ＤＣＩＭ配下以外に格納されたＪＰＥＧファイルは再生することができない。また、ＤＣＩＭ配下のディレクトリであっても、管理ディレクトリ名の規則に則ったディレクトリ配下のＪＰＥＧファイルは再生することができない。また、管理ディレクトリ配下のＪＰＥＧファイルであっても、上記ファイル名の法則に則らないＪＰＥＧファイルは再生することができない。
【００３１】
同様に動画像管理フォーマットであるＳＤＶＩＤＥＯは、ＭＰＥＧ動画像を管理するＳＤ＿Ｖｉｄｅｏの下位には、ＭＰＥＧファイルをある単位で管理する管理ディレクトリが設けられる。管理ディレクトリの名前の付け方は、数字に各デジタルビデオカメラ固有の文字列を付加したものであり、本実施例では００１から始まる３桁の数字に「Ｐｒｌ」を付加したものがそれに当たる。各管理ディレクトリはその配下にある枚数のＭＰＥＧ規格に準拠したファイルを格納する。格納するファイル名は管理ディレクトリと関連のある数字に、各デジタルビデオカメラ固有の文字列を付加したもので、本実施例では、管理ディレクトリに使われる数字から１を引いたものに１００を掛けた値に、１〜１００を足した４桁の数字を順に用い、固有の文字列には「Ｍｏｌ」を用いる。
【００３２】
即ち、管理ディレクトリ名が「Ｐｒｌ００１」であれば配下のＭＰＥＧファイルのファイル名は、「Ｍｏｌ０００１．ａｓｆ」〜「Ｍｏｌ０１００．ａｓｆ」となり、管理ディレクトリが「Ｐｒｌ００３」であれば、「Ｍｏｌ０２０１．ａｓｆ」〜「Ｍｏｌ０３００．ａｓｆ」となる。
【００３３】
動画像を追加撮影する場合、ＭＰＥＧファイルは管理ディレクトリ中もっとも数字が大きいディレクトリの下位に、もっとも数字が大きいファイル名に１加えたファイル名として新規追加されるが、その管理ファイルが１００枚の画像を格納済であった場合、前記管理ディレクトリの数字に１加えた番号を持つ管理ディレクトリを新たに設け、その配下に同様の手法を用いて決定したファイル名で追加記録する。
【００３４】
本実施例によるデジタルビデオカメラの動画像の管理フォーマットであるＳＤＶＩＤＥＯは、ＳＤ＿Ｖｉｄｏ配下の管理ディレクトリの番号および、ファイル名の番号を用いて管理しており、本実施例におけるデジタルビデオカメラで動画像を再生する場合、この番号を用いてファイルを認識する。従って、ＳＤ＿Ｖｉｄｅｏ配下以外に格納されたＭＰＥＧファイルは再生することができない。また、ＳＤ＿Ｖｉｄｅｏ配下のディレクトリであっても、上記管理ディレクトリ名の規則にのっとらないディレクトリ配下のＭＰＥＧファイルは再生することができない。また、管理ディレクトリ配下のＭＰＥＧファイルであっても、上記ファイル名の法則にのっとらないＭＰＥＧファイルは再生することができない。
【００３５】
次に、図３、図４を用いて、装置がパソコンに接続されたとき（接続開始時）、外されたときの装置側の処理を説明する。
【００３６】
デジタルビデオカメラをＵＳＢマスストレージクラスでパソコンに接続する場合ＵＳＢケーブルの挿入を検知し（Ｓ３０１）、デジタルビデオカメラのファイルシステム１０１は、ＵＳＢのＤ＋信号をＰｕｌｌ Ｕｐ前にＳＤカード内のフォーマット管理用のディレクトリであるＤＣＩＭおよびＳＤ＿Ｖｉｄｅｏ配下に対し、書き込み権限を外す（Ｓ３０２）。
【００３７】
書き込みを許す範囲は、ＤＣＩＭ、ＳＤ＿Ｖｉｄｅｏ以外の全域であっても構わないが、パソコン側がらの書き込み専用の領域として Ｗｏｒｋディレクトリを設け、そこのみに書き込み権限を与え、その他全域にわたっては書き込み禁止としてもよい。
【００３８】
書き込み権限を外した（削除）後、ＵＳＢのＤ＋信号をＰｕｌｌ Ｕｐすると（Ｓ３０３）、ＵＳＢの規格にのっとり通常通りのネゴシエーションが行われた後（Ｓ３０４）、ホストであるパソコン側のファイルシステムがデジタルビデオカメラのＳＤカードに対してＵＳＢを経由し、ｒｅａｄ／ｗｒｉｔｅ（読み書き）の操作を行う。パソコン側のファイルシステムはＳＤカードの管理情報取得の際、ＤＣＩＭ配下とＳＤ＿Ｖｉｄｅｏ配下のディレクトリには書き込みの権限が無いことを認識し、そこに対するｗｒｉｔｅ（書き込み）の要求をパソコン側のファイルシステムが拒否ことになる。これにより、ＤＣＦ、ＳＤＶＩＤＥＯ配下のディレクトリおよびファイル名の変更を抑止し、本実施形態におけるデジタルビデオカメラのファイル管理フォーマットの破壊を防ぐ。  
【００３９】
同時に、ＤＣＦ、ＳＤＶＩＤＥＯ配下へのファイルのＰｕｔ操作も、パソコン側のファイルシステムが抑止する為、ＤＣＦ、ＳＤＶＩＤＥＯ配下にデジタルビデオカメラで再生不可能なファイルを書き込むことを抑止する。
【００４０】
ＵＳＢ接続の際、ユーザはパソコン側のファイルシステムを利用して、書き込み権限のある範囲に自由にファイルを書き込むことが可能である。書き込むファイルはエフェクト用の画像のようにデジタルビデオカメラ側で再生可能なものと、再生不可能なものが含まれる。
【００４１】
続いて、ＵＳＢケーブルが外されると、デジタルビデオカメラはパソコンのファイルシステムによるＳＤカードの操作から、デジタルビデオカメラ自身のファイルシステム１０１による操作に切り替える為、ファイルシステムを立ち上げなおす（Ｓ５００〜Ｓ５０２）。  
【００４２】
これにより、パソコン側ファイルシステムから行われたＳＤカード内の変更とデジタルビデオカメラ自身のファイルシステム１０１の情報の整合性をとる。
【００４３】
立ち上げなおされたデジタルビデオカメラのファイルシステムは、書き込みを許可していた領域に対する更新の有無をチェックする。ファイルが追加されていた場合（Ｓ５０４）、まずファイルの拡張子と、ＪＰＥＧ又はＭＰＥＧであればそのヘッダ情報を用いて、自身で再生可能なファイルであるか否かの切り分けを行う（Ｓ５０５、Ｓ５０６）。自身で再生が不可能なファイルであった場合、ファイルサイズをカウントして次のファイルに移り同様の操作を新規追加ファイルの全てに対して行う。
【００４４】
再生可能なファイルを発見した場合、デジタルビデオカメラはそのファイルを管理フォーマット配下のディレクトリにコピーする（Ｓ５０７）。コピー先の管理ディレクトリとファイル名の決定は、前述した撮影画像の追加規則と同様のものを用いる。例えば、パソコンからエフェクト用画像に「ｅｆｆｅｃｔ１．ｊｐｇ」が追加されていた場合、拡張子”ｊｐｇ”からおよび「ｅｆｆｅｃｔ１．ｊｐｇ」のＪＰＥＧヘッダ情報から本実施例のデジタルビデオカメラで再生可能であると判断し、管理ディレクトリ中もっとも数字が大きいディレクトリの下位に、もっとも数字が大きいファイル名に１加えたファイル名としてコピー追加されるか、その管理ファイルが１００枚の画像を格納済であった場合、管理ディレクトリの数字に１加えた番号を持つ管理ディレクトリを新たに設け、その配下に同様の手法を用いて決定したファイル名で追加コピーを行う。再生可能なファイルがＭＰＥＧであった場合についても、ＳＤ＿Ｖｉｄｅｏ配下で同様の操作を行う。これにより、ユーザが本実施例におけるデジタルビデオカメラのファイル管理フォーマット、ＤＣＦ、ＳＤＶＩＤＥＯの管理構造に精通していなくても、自由なファイル名でファイルを書き込み可能領域に書き込むだけでデジタルビデオカメラ側で再生を可能とする。
【００４５】
ファイルのコピー追加は、単純に同一ファイルを複製したものをＤＣＩＭあるいはＳＤ＿Ｖｉｄｅｏ配下に上記のようにファイル管理フォーマットに合致するように配置するだけでも構わないが、ショートカット(リンク)を用いたものであってもよい。ショートカット(リンク)を用いる場合は、先にファイル管理フォーマットに実体のないファイルを作っておき、このファイルから当該ファイルへジャンプする機能を持たせ、パソコン等のショートカット(リンク)と同様の働きをさせる構造とする。
【００４６】
したがって、図２に示すように、パソコン側から追・編集されたファイル２０４ａ〜２０４ｃは、書き込み禁止領域２０１に存在するファイルと整合性をとり、たとえば、ファイル２０４ａは、書き込み禁止領域２０１のファイル２０３と同一ファイル名となっているため、書き込みを禁止し、ファイルの破壊・上書き等を抑制することができる。
【００４７】
一方、再生が不可能と判断したファイルは、前述のように各ファイルサイズをカウントし（Ｓ５０８）、これら再生不可能ファイルの総容量を計算する。この総容量をデジタルビデオカメラのユーザに要求に応じて液晶パネルに表示する等の処理を行い、再生不可能なファイルによるＳＤカードの圧迫量を通知することを可能とする（Ｓ５０９）。
【図面の簡単な説明】
【００４８】
【図１】本発明の実施例１に係る装置により記録メディア内に構成されるファイルシステムの構成図である。
【図２】本発明の実施例１に係る装置にパソコンを接続した時の動作説明図ある。
【図３】パソコンに対して接続開始時の装置側の処理を示すフローチャートである。
【図４】パソコンに対して接続終了時の装置側の処理を示すフローチャートである。
【符号の説明】
【００４９】
１０１      ファイルシステム
１０２      ルートディレクトリ
１０３      ＪＰＥＧ管理フォーマットディレクトリ
１０４      ＭＰＥＧ管理フォーマットディレクトリ
２０１      パソコン接続時の書き込み禁止(書き込み権限削除)領域
２０４      パソコンから書き込まれたファイル
【図１】
2005174038.tif 000003
【図２】
2005174038.tif 000004
【図３】
2005174038.tif 000005
【図４】
2005174038.tif 000006